(57)【要約】【課題】有底筒状の組立式水槽を提供する。【解決手段】上下方向で同心配置した円形底板２と円環枠１のコ字状溝５、８同士間に水密状に支柱３を起立介装して成る枠体14において、上下のコ字状溝５、８と、その間に隣接介在される支柱３にて囲繞される開口部15を、これより面積大で且つ湾曲変形可能な薄肉金属製の壁板４で枠体14内側から水密閉塞した円筒状の水槽であって、壁板４は左右側縁4a、4bが内側へ屈曲形成され、中央の少なくとも上下側縁が枠体14内側に水密状に鋲着され、周方向で隣接する各壁板４において一側面3a上で平行に隣接配置する各側縁4a、4bにボルトB4を横貫し、ボルトB4は一端が一方の側縁4bに固定され、両側縁4a、4b間にして且つ他方の側縁4aの外側面に当接する様にボルトB4にナットN5を螺着し、該ナットN5の螺進にて各側縁4a、4bは所定間隔を保持する様に離間し、壁板４の湾曲度を増大させてこれを枠体14内側に圧着させる。【選択図】図５
2010111395.tif 000002
【特許請求の範囲】
【請求項１】
コ字状溝を外向きに設け、且つ連結すると円環を構成する複数の円弧枠と、該円弧枠の開口端を閉塞した端面を、水密状に接合固定して成る円環枠と、該円環枠と同径の外向きコ字状溝を周設した円板を所定形状に分割形成して成る底板分割体と、該底板分割体の継ぎ目に立設した衝合板を、水密状に接合固定して成る円形底板と、上下方向で同心配置した円形底板と単数又は複数の円環枠のコ字状溝同士間にその円周方向で所定間隔置きに水密状に起立介装すると共に、一側面が円形底板と円環枠の内周面に沿う様に形成された支柱とにより枠体を構成し、該枠体において、上下のコ字状溝と、その間に隣り合って介在される支柱にて囲繞される開口部を、該開口部より面積大にして、且つ湾曲変形可能な薄肉金属製の矩形状の壁板で枠体内側から水密状に閉塞して成る円筒状の水槽であって、壁板は、その左右側縁が内側へ屈曲形成され、中央の少なくとも上下側縁が枠体内側に水密状に鋲着され、周方向で隣接する各壁板において支柱の前記一側面上で平行に隣接配置する各側縁にボルトを横貫し、該ボルトは一端が一方の側縁に固定され、両側縁間にして且つ他方の側縁の外側面に当接する様に前記ボルトにナットを螺着し、該ナットの螺進にて各側縁は所定間隔を保持する様に離間すると共に、壁板の湾曲度を増大させて壁板を枠体内側に圧着させたことを特徴とする組立式水槽。
【請求項２】
コ字状溝を外向きに設け、且つ連結すると円環を構成する複数の円弧枠と、該円弧枠の開口端を閉塞した端面を、水密状に接合固定して成る円環枠と、上下方向で同心配置した複数の円環枠のコ字状溝同士間にその円周方向で所定間隔置きに水密状に起立介装すると共に、一側面が円環枠の内周面に沿う様に形成された支柱とにより枠体を構成し、該枠体の最下部の円環枠の下端を地上に打設したコンクリートに埋設して該コンクリート面を底部と成すと共に、枠体において、上下のコ字状溝と、その間に隣り合って介在される支柱にて囲繞される開口部を、該開口部より面積大にして、且つ湾曲変形可能な薄肉金属製の矩形状の壁板で枠体内側から水密状に閉塞して成る円筒状の水槽であって、壁板は、その左右側縁が内側へ屈曲形成され、中央の少なくとも上下側縁が枠体内側に水密状に鋲着され、周方向で隣接する各壁板において支柱の前記一側面上で平行に隣接配置する各側縁にボルトを横貫し、該ボルトは一端が一方の側縁に固定され、両側縁間にして且つ他方の側縁の外側面に当接する様に前記ボルトにナットを螺着し、該ナットの螺進にて各側縁は所定間隔を保持する様に離間すると共に、壁板の湾曲度を増大させて壁板を枠体内側に圧着させたことを特徴とする組立式水槽。
【発明の詳細な説明】
【技術分野】
【０００１】
本発明は、分解状態で輸送できる組立式水槽に関する。
【背景技術】
【０００２】
従来、貯水槽、窯業原料の湿式分級に用いる沈殿槽、並びに防火水槽等の大型水槽として、特許文献１には、分解状態で納まりが良く、輸送車等への積み降ろしが容易であると共に、熟練者でなくても漏水することなく簡単に組立てられる水槽が開示されている。
【０００３】
【特許文献１】特開２００３−１１２７９２号公報
【発明の開示】
【発明が解決しようとする課題】
【０００４】
しかしながら、上記水槽は上部が開放された断面略半円弧状の形態のものに限られている。
そこで、本発明では、有底筒状の組立式水槽を提供することを目的としている。
【課題を解決するための手段】
【０００５】
上記課題に鑑み、本発明の組立式水槽は、コ字状溝を外向きに設け、且つ連結すると円環を構成する複数の円弧枠と、該円弧枠の開口端を閉塞した端面を、水密状に接合固定して成る円環枠と、該円環枠と同径の外向きコ字状溝を周設した円板を所定形状に分割形成して成る底板分割体と、該底板分割体の継ぎ目に立設した衝合板を、水密状に接合固定して成る円形底板と、上下方向で同心配置した円形底板と単数又は複数の円環枠のコ字状溝同士間にその円周方向で所定間隔置きに水密状に起立介装すると共に、一側面が円形底板と円環枠の内周面に沿う様に形成された支柱とにより枠体を構成し、該枠体において、上下のコ字状溝と、その間に隣り合って介在される支柱にて囲繞される開口部を、該開口部より面積大にして、且つ湾曲変形可能な薄肉金属製の矩形状の壁板で枠体内側から水密状に閉塞して成る円筒状の水槽であって、壁板は、その左右側縁が内側へ屈曲形成され、中央の少なくとも上下側縁が枠体内側に水密状に鋲着され、周方向で隣接する各壁板において支柱の前記一側面上で平行に隣接配置する各側縁にボルトを横貫し、該ボルトは一端が一方の側縁に固定され、両側縁間にして且つ他方の側縁の外側面に当接する様に前記ボルトにナットを螺着し、該ナットの螺進にて各側縁は所定間隔を保持する様に離間すると共に、壁板の湾曲度を増大させて壁板を枠体内側に圧着させたことを特徴とする。
或いは、本発明の組立式水槽は、コ字状溝を外向きに設け、且つ連結すると円環を構成する複数の円弧枠と、該円弧枠の開口端を閉塞した端面を、水密状に接合固定して成る円環枠と、上下方向で同心配置した複数の円環枠のコ字状溝同士間にその円周方向で所定間隔置きに水密状に起立介装すると共に、一側面が円環枠の内周面に沿う様に形成された支柱とにより枠体を構成し、該枠体の最下部の円環枠の下端を地上に打設したコンクリートに埋設して該コンクリート面を底部と成すと共に、枠体において、上下のコ字状溝と、その間に隣り合って介在される支柱にて囲繞される開口部を、該開口部より面積大にして、且つ湾曲変形可能な薄肉金属製の矩形状の壁板で枠体内側から水密状に閉塞して成る円筒状の水槽であって、壁板は、その左右側縁が内側へ屈曲形成され、中央の少なくとも上下側縁が枠体内側に水密状に鋲着され、周方向で隣接する各壁板において支柱の前記一側面上で平行に隣接配置する各側縁にボルトを横貫し、該ボルトは一端が一方の側縁に固定され、両側縁間にして且つ他方の側縁の外側面に当接する様に前記ボルトにナットを螺着し、該ナットの螺進にて各側縁は所定間隔を保持する様に離間すると共に、壁板の湾曲度を増大させて壁板を枠体内側に圧着させたことを特徴とする。
【発明の効果】
【０００６】
要するに本発明は、コ字状溝を外向きに設け、且つ連結すると円環を構成する複数の円弧枠と、該円弧枠の開口端を閉塞した端面を、水密状に接合固定して成る円環枠と、該円環枠と同径の外向きコ字状溝を周設した円板を所定形状に分割形成して成る底板分割体と、該底板分割体の継ぎ目に立設した衝合板を、水密状に接合固定して成る円形底板と、上下方向で同心配置した円形底板と単数又は複数の円環枠のコ字状溝同士間にその円周方向で所定間隔置きに水密状に起立介装すると共に、一側面が円形底板と円環枠の内周面に沿う様に形成された支柱とにより枠体を構成し、該枠体において、上下のコ字状溝と、その間に隣り合って介在される支柱にて囲繞される開口部を、該開口部より面積大にして、且つ湾曲変形可能な薄肉金属製の矩形状の壁板で枠体内側から水密状に閉塞して成るので、有底筒状の組立式水槽を提供できる。
或いは、上記複数の円環枠と支柱とにより枠体を構成し、上記円形底板に代えて、枠体の最下部の円環枠の下端を地上に打設したコンクリートに埋設して該コンクリート面を底部と成すと共に、枠体における上記開口部を同様に、該開口部より面積大で湾曲変形可能な薄肉金属製の矩形状の壁板で枠体内側から水密状に閉塞することにより、有底筒状の組立式水槽を提供できる。
【０００７】
そして、前段の構成の水槽では、これを構成する円弧枠、底板分割体、支柱及び壁板を分割状態で現場へ輸送でき、又後段の構成の水槽では、底部以外の水槽を構成する分割状態の円弧枠、支柱及び壁板を現場へ輸送すると共に、水槽底部を構成するために使用するコンクリートミキサー車などを手配するだけのため、大型の輸送車を使用する必要がなく、前記各構成部材の積み卸しも容易に行える。
又、後述の如くボルトとナットを使用した壁板の枠体への組み付けに加えて、円弧枠、底板分割体及び支柱をボルトとナットの締結にて連結して枠体を組み立てることにより、水槽全体を溶接せずに簡単に組立できると共に、水槽として使用した後の分解を容易にするだけでなく、その後も廃棄することなく他の現場での再使用も可能で無駄がない。
【０００８】
壁板は、その左右側縁が内側へ屈曲形成され、中央の少なくとも上下側縁が枠体内側に水密状に鋲着され、周方向で隣接する各壁板において支柱の前記一側面上で平行に隣接配置する各側縁にボルトを横貫し、該ボルトは一端が一方の側縁に固定され、両側縁間にして且つ他方の側縁の外側面に当接する様に前記ボルトにナットを螺着し、該ナットの螺進にて各側縁は所定間隔を保持する様に離間すると共に、壁板の湾曲度を増大させて壁板を枠体内側に圧着させたので、単にナットを上記の如く螺進させるだけで、簡単に枠体の円弧に対応する様に壁板を水密状に密着保持させ、漏水を阻止できると共に、枠体に対し壁板を溶接せずに張設できる等その実用的効果甚だ大である。
【発明を実施するための最良の形態】
【０００９】
以下本発明の実施の一形態例を図面に基づいて説明する。
本発明に係る組立式水槽は、図１〜５の平面図、正面図、背面図、底面図、及びＡ−Ａ断面図に示す様に、有底筒状に形成される。
この水槽は、金属製の円環枠１、円形底板２、支柱３及び壁板４を構成部材としてこれらを溶接せずに組み立てることにより形成される。
【００１０】
円環枠１は、コ字状溝５を外向きに設け、且つ連結すると円環を構成する複数の円弧枠６から成り、該円弧枠６は、図１、６に示す様に、円環枠１を等分（図示例では３等分）した同形の円弧を有している。
又、円弧枠６は、その開口端を端面７にて閉塞して成り、各円弧枠６の端面７を、これと同形板状の合成ゴム製のシール材（図示せず）を介して水密状に接合すると共に、ボルトＢとナットＮの締結にて固定し、円環枠１を構成している。
【００１１】
円形底板２は、円環枠１と同径の外向きコ字状溝８を周設した円板を所定形状に分割形成して成る底板分割体９、10、11から成り、各底板分割体９、10、11は、図１、４、７、８に示す様に、円形底板２をその円の平行で同長な一対の弦で３分割しており、左右側方の底板分割体９、11は同形と成している。
底板分割体９、10、11において、上記弦に対応する継ぎ目には、夫々に同形の衝合板9a、10ａ、10ｂ、11ａを立設している。
【００１２】
衝合板9a、10ａ、10ｂ、11ａは、分割によって形成されたコ字状溝８の開口端を閉塞する矩形板と、該矩形板間にこれより低い帯板を連結した凹状板から成り、左側方の底板分割体９の衝合板9aと中央の底板分割体10の左側衝合板10ａとを、右側方の底板分割体11の衝合板11ａと中央の底板分割体10の右側衝合板10ｂとを、これらと同形板状の合成ゴム製のシール材（図示せず）を介して水密状に接合すると共に、ボルトB1とナットN1の締結にて固定し、円形底板２を構成している。
尚、底板分割体９、10、11は上記形状に限定されることなく、例えば円を複数に等分した扇形状であっても良く、この場合にも当然ながら継ぎ目にはシール部材を介して相互に水密接合される衝合板を立設している。
【００１３】
支柱３は、図２、３、９に示す様に、上記コ字状溝５、８と同形で上下方向に真直で長い外向きコ字状溝12から成り、その上下の開口端を端面13にて閉塞している。
そして、上下方向で同心配置した円形底板２と単数又は複数（図示例では２個）の円環枠１のコ字状溝５、８同士間にその円周方向で所定間隔置きに支柱３を起立介装し、該支柱３の上下端面13とコ字状溝５、８とは、端面13と同形板状の合成ゴム製のシール材（図示せず）を介して水密状に接合されると共に、ボルトB2とナットN2の締結にて固定することにより水槽の枠体14を構成する。
又、支柱３（コ字状溝12）は、他のコ字状溝５、８とは、真直に形成されたか湾曲に形成されたかの違いはあるが、同形のため、その一側面3aは円環枠１と円形底板２の内周面1a、2aに沿ってこれらと共に略一様な枠体14の内側を形成している。
【００１４】
壁板４は、枠体14において、上下のコ字状溝５、８と、その間に隣り合って介在される支柱３を窓枠として、該窓枠を枠体14の内側から閉塞するものであり、図５、10に示す様に、窓枠にて囲繞される開口部15より面積大にして、且つ湾曲変形可能な薄肉金属製の矩形板から成り、その左右側縁4a、4bが直角に内側へ屈曲形成され、該左右側縁4a、4bの上下方向には複数のボルト挿通穴が所定間隔置きに貫設されている。
尚、図10において、左右側縁4a、4bの基端部上下には三角形状の補強板が形成されているが、この補強板は、その他の図（図１、11）では説明の便宜上、二点鎖線で示している。
又、枠体14の内側、即ち、円弧枠６（円環枠１）の内周面1a、底板分割体９、10、11（円形底板２）の内周面2a、及び支柱３の一側面3aには、壁板４による開口部15の閉塞が水密性を有する様に、夫々の形状に対応する板状の合成ゴム製のシール材（図示せず）が貼着されている。
【００１５】
そして、壁板４は、その中央の上下側縁が止めボルトB3及び止めナットN3により上記窓枠における上下のコ字状溝５、８の内周面1a、2aに水密状に鋲着され、周方向で隣接する各壁板４において支柱３の一側面3a上で左右平行に隣接配置する各側縁4a、4bに壁板連結ボルトB4を横貫する（図１、５、11参照）。
尚、必要があれば、壁板４の中央が鋲着される上下側縁間に対応する上下のコ字状溝５、８間に別途支柱３を上記と同様に水密状に起立介装し、該支柱３の一側面3aに壁板４の上下側縁を除く中央部を止めボルトB3及び止めナットN3にて水密状に鋲着しても良い。
上記の如く側縁4a、4bに横貫した壁板連結ボルトB4は、頭部を有する一端が一方の側縁4bに固定される。
この固定は、側縁4bの内側からボルト挿通穴にねじ部を通し、該ねじ部に側縁4bの外側から螺合した挟持用ナットN4を締め付けることにより、該挟持用ナットN4と頭部間に側縁4bを配することで成し得る。
【００１６】
そして、図11(a) に示す如く、一端が一方の側縁4bに固定された壁板連結ボルトB4には、両側縁4a、4b間にして且つ他方の側縁4aの外側面に当接する様に圧着ナットN5を螺着する。
次いで、圧着ナットN5を挟持用ナットN4から離間する様に螺進させる。
壁板４中央の上下側縁が止めボルトB3にて枠体14の内側適所に位置決め固定されているので、圧着ナットN5の上記螺進により、各側縁4a、4bは所定間隔を保持する様に離間すると共に、図11(a) の状態よりも壁板４の湾曲度を増大させて壁板４を枠体14の内側に図示しないシール材を介して水密状に圧着させて図11(b) の状態に至る。
枠体14の全ての開口部15を上記の様に壁板４にて水密状に閉塞した後には、他方の側縁4aの内側より突出する壁板連結ボルトB4の他端をロックナットN6にて螺着することにより、溶接が不要な円筒形水槽の組立が完了する。
【００１７】
次に、水槽の変形例を図12、13に基づき説明する。
この水槽は、枠体14を上記構成の複数の円環枠１と支柱３にて構成し、円形底板２に代えて、枠体14の最下部の円環枠１の下端を予め地上に打設したコンクリートに埋設し、該コンクリート面を水槽の底部16と成したものであり、その他の構成は上記と同一のため、上記と同一又は相当部分には同じ符号を付し、説明を省略する。
【図面の簡単な説明】
【００１８】
【図１】組立式水槽の平面図である。
【図２】同上正面図である。
【図３】同上背面図である。
【図４】同上底面図である。
【図５】図１のＡ−Ａ断面図である。
【図６】円弧枠の斜視図である。
【図７】側方の底板分割体の斜視図である。
【図８】中央の底板分割体の斜視図である。
【図９】支柱の斜視図である。
【図１０】壁板の斜視図である。
【図１１】壁板の張設過程を示す一部破断平面図である。
【図１２】組立式水槽の変形例を示す平面図である。
【図１３】図12のＢ−Ｂ断面図である。
【符号の説明】
【００１９】
１          円環枠
２          円形底板
３          支柱
４          壁板
4a、4b      左右側縁
５          コ字状溝
６          円弧枠
７          端面
８          コ字状溝
９          底板分割体
9a          衝合板
10          底板分割体
10ａ、10ｂ  衝合板
11          底板分割体
11ａ        衝合板
14          枠体
15          開口部
16          底部
B4          ボルト
N5          ナット
【図１】
2010111395.tif 000003
【図２】
2010111395.tif 000004
【図３】
2010111395.tif 000005
【図４】
2010111395.tif 000006
【図５】
2010111395.tif 000007
【図６】
2010111395.tif 000008
【図７】
2010111395.tif 000009
【図８】
2010111395.tif 000010
【図９】
2010111395.tif 000011
【図１０】
2010111395.tif 000012
【図１１】
2010111395.tif 000013
【図１２】
2010111395.tif 000014
【図１３】
2010111395.tif 000015